(57)【要約】      （修正有）【課題】机の上などに簡単に置ける、矩形ばねの特徴を利用したカードホルダーを提供する。【解決手段】中空の矩形ばね３のステー差込口の両端から、ばね支持ステーの両端の曲げ加工部分を差込固定して、ばね伸張台取付空間を設けたばね組立体と、ばね伸張台取付空間を広げて嵌め込み固定されるばね伸張台２と、ばね組立体が装着される固定溝が形成された支持台１であって、ペンスタンド４を設けた支持台１と、を備える。【選択図】図１
0003217615.tif 000002
【実用新案登録請求の範囲】
【請求項１】
矩形ばね（３）のステー差込口（６）の両端から、ばね支持ステー（７）の両端を挿入して取付け、さらにこれらを、ばね伸張台（２）の形状に合わせて、ばね伸張台取付空間（８）を拡げて、ばね伸張台（２）に組付け、つぎにこれら組付けされたものをペンスタンド（４）を設けた、支持台（１）の伸張台固定溝（５）に装着してなる、カードスタンド。
【考案の詳細な説明】
【技術分野】
【０００１】  本考案は、名刺などを差置きするカードホルダーに関するものである。
【背景技術】
【０００２】  従来、名刺やカードはケース類に入れて、忘れてしまう事が多く、そのまま放置されてしまう状況である。
【考案が解決しようとする課題】
【０００３】  今、名刺を貰っても、以外に意識が薄く取引先など大事な名刺でも、名刺入れ等にしまってしまうか、ただ机に置いてしまうか、引出しに入れてしまう事が多かった。そこで机の上などに簡単に置ける、ばねを利用したカードホルダーを考案した。
これらの問題点を改善し、今までにない有効な本考案がなされたのである。
【課題を解決するための手段】
【０００４】  本考案は出来る限りの簡単構成で形成されている。以下解決手段を説明する。
まず、図４のごとく長方形状のコイルばねである矩形ばね（３）を作成して、このばねの両端の、ステー差込口（６）より図５で示す、ばね支持ステー（７）の両端を挿入て図６のごとく組付け固定する。さらにこの図６のごとく組付け固定したものに図３で示す、ばね伸張台（２）をばね伸張台取付空間（８）に、嵌め込んで設ける。
そしてこの嵌め込んで組付けたものを、最後にペンスタンド（４）を設けた、図２に示すごとく支持台（１）の伸張台固定溝（５）に、差込装着する。
本考案は以上のような特徴よりなる、カードケースである。
【考案の効果】
【０００５】  本考案は、渡された名刺などを保管ではなく、事務机などに見える形で置いておける点と、ばねの微妙なギャップ収縮により、カード類の厚みによる違いにも、しっかりと固定できる点である。
【考案を実施するための最良の形態】
【０００６】  まず、図４で示すように長方形状のコイルばね、つまり矩形ばね（３）をピアノ線にて製作する。この矩形ばね（３）は性質上、引っ張れば、ばねの線間間隔が広がり隙間が大きくなる。適当にこの性質を利用して、ばねコイルの隙間にカード等を挟む事ができる。つぎにこの矩形ばね（３）の両端のステー差込口（６）に、ばね支持ステー（７）の両端をそれぞれ挿入し、組付ける。そして図６のごとく形成する。
つぎに図６のこの組付け品に、ばね伸張台（２）を、ばね伸張台取付空間（８）に嵌め込んで設ける。本考案では、ばね伸張台（２）の材料は木材を使用しているが、その他樹脂でもよい。また、ばね伸張台（２）の円周アール部分は、矩形ばね（３）が乗る部分である。そしてこれらの組付け品を、最後に支持台（１）の伸張台固定溝（５）に装着する。つまり図１のごとく、ばね伸張台（２）の底部および、ばね支持ステーの底部が、伸張台固定溝（５）にぴったりと収まり、固定装着する。
本考案は以上のような構成であり、これを使用実施するときには、【０００７】  本考案を机やテーブルに置いて、矩形ばね（３）部分に名刺などを挟むだけで良い。
【図面の簡単な説明】
【０００８】
【図１】本考案の組立完成品の斜視図である。
【図２】本考案の支持台の斜視図である。
【図３】本考案のばね伸張台の斜視図である。
【図４】本考案の矩形ばねの斜視図
【図５】本考案のばね支持ステーの斜視図である。
【図６】本考案のばね部分の組立説明図である。
【符号の説明】
【０００９】１  支持台
２  ばね伸張台
３  矩形ばね
４  ペンスタンド
５  伸張台固定溝
６  ステー差込口
７  ばね支持ステー
【図１】
0003217615.tif 000003
【図２】
0003217615.tif 000004
【図３】
0003217615.tif 000005
【図４】
0003217615.tif 000006
【図５】
0003217615.tif 000007
【図６】
0003217615.tif 000008
【手続補正書】
【提出日】平成30年3月12日(2018.3.12)
【手続補正１】
【補正対象書類名】実用新案登録請求の範囲
【補正対象項目名】全文
【補正方法】変更
【補正の内容】
【実用新案登録請求の範囲】
【請求項１】
中空の矩形ばね（３）の両端、つまりステー差込口（６）と呼ぶが、この該差込口から、ばね支持ステー（７）の両端の、曲げ加工部分（９）を差込固定して、ばね伸張台取付空間（８）を設けた、ばね組立体（１１）を形成する、つぎにこの、ばね組立体（１１）の矩形ばね（３）とステー底部（１０）を上下に引っ張って（１３）、ばね伸張台取付空間（８）を広げて、この該空間に、ばね伸張台（２）を嵌め込み（１４）固定する、最後に、ペンスタンド（４）を設けた支持台（１）の固定溝（５）に対して、ばね伸張台（２）を付けた、ばね組立体（１１）のステー底部（１０）より、はめ込んで固定装着してなる、カードホルダー。
【手続補正２】
【補正対象書類名】明細書
【補正対象項目名】全文
【補正方法】変更
【補正の内容】
【考案の詳細な説明】
【技術分野】
【０００１】本考案は、名刺などを差置きするカードホルダーに関するものである。
【背景技術】
【０００２】従来、名刺やカードはケース類に入れて、忘れてしまう事が多く、そのまま放置されてしまう状況である。
【考案が解決しようとする課題】
【０００３】  今、名刺を貰っても、以外に意識が薄く取引先など大事な名刺でも、名刺入れ等にしまってしまうか、ただ机に置いてしまうか、引出しに入れてしまう事が多かった。そこで机の上などに簡単に置ける、ばねを利用したカードホルダーを考案した。
これらの問題点を改善し、今までにない有効な本考案がなされたのである。
【課題を解決するための手段】
【０００４】  本考案は出来る限りの簡単構成で形成されている。以下解決手段を説明する。
まず図４のごとく、中空の矩形ばね（３）の両端口、以下、ステー差込口（６）と呼ぶが、この該差込口より、図５で示す、ばね支持ステー（７）の両端の、曲げ加工部分（９）を差込んで固定する。これで図６のごとく、隙間としての、ばね伸張台取付空間（８）を設けた、ばね組立体（１１）が形成される。つぎに図７に示すように、ばね組立体（１１）の矩形ばね（３）とステー底部（１０）を上下に引っ張って（１３）、ばね伸張台取付空間（８）を大きく広げる。そしてこの該空間に、ばね伸張台（２）を嵌め込み（１４）固定する。
最後に、ペンスタンド（４）を設けた支持台（１）の固定溝（５）に対して、ばね伸張台（２）を付けた、ばね組立体（１１）のステー底部（１０）を、はめ込んで固定装着する。
本考案は以上のような特徴よりなる、カードホルダーである。
【考案の効果】
【０００５】  本考案は、渡された名刺などを保管ではなく、事務机などに見える形で置いておける点と、ばねの微妙なギャップ収縮により、カード類の厚みによる違いにも、しっかりと固定できる点である。
【考案を実施するための最良の形態】
【０００６】  まず、図４で示すように長方形状のコイルばね、つまり矩形ばね（３）をピアノ線にて製作する。この矩形ばね（３）は性質上、引っ張れば、ばねの線間間隔が広がり隙間が大きくなる。適当にこの性質を利用して、ばねコイルの隙間にカード等を挟む事ができる。つぎにこの矩形ばね（３）の両端口、つまりステー差込口（６）と呼ぶが、ここに、ばね支持ステー（７）の両端に設けた、曲げ加工部分（９）をそれぞれ挿入し組付ける。そして図６のごとく、ばね組立体（１１）を形成する。この該組立体は、大きな隙間が、つまりばね伸張台取付空間（８）が設けてある。つぎに図７のごとくこの、ばね組立体（１１）の矩形ばね（３）とステー底部（１０）を上下に引っ張って（１３）、ばね伸張台取付空間（８）を大きく広げる。そしてこの広げた該空間に、ばね伸張台（２）を、嵌め込み（１４）設ける。本考案では、ばね伸張台（２）の材料は木材を使用しているが、その他樹脂でもよい。また、ばね伸張台（２）の円周アール部分（１２）は、矩形ばね（３）が乗る部分である。そして最後に支持台（１）の固定溝（５）に対して、ばね伸張台（２）を付けた、ばね組立体（１１）のステー底部（１０）を嵌め込んで装着する。
つまり図１のごとく、ばね伸張台（２）の底部および、ステー底部（１０）が固定溝（５）にぴったりと収まり、固定装着する。
本考案は以上のような構成であり、これを使用実施するときには、【０００７】  本考案を机やテーブルに置いて、矩形ばね（３）部分に名刺などを挟むだけで良い。
【図面の簡単な説明】
【０００８】
【図１】本考案の組立完成品の斜視図である。
【図２】本考案の支持台の斜視図である。
【図３】本考案のばね伸張台の斜視図である。
【図４】本考案の矩形ばねの斜視図である。
【図５】本考案のばね支持ステーの斜視図である。
【図６】本考案のばね組立体の説明図である。
【図７】本考案のばね組立体に、ばね伸張台を嵌め込んでいる説明図である。
【符号の説明】
【０００９】  １  支持台
２  ばね伸張台
３  矩形ばね
４  ペンスタンド
５  固定溝
６  ステー差込口
７  ばね支持ステー
８  ばね伸張台取付空間
９  曲げ加工部分
１０  ステー底部
１１  ばね組立体
１２  円周アール部
１３  上下に引っ張って
１４  嵌め込み
【手続補正３】
【補正対象書類名】図面
【補正対象項目名】全図
【補正方法】変更
【補正の内容】
【図１】
0003217615.tif 000009
【図２】
0003217615.tif 000010
【図３】
0003217615.tif 000011
【図４】
0003217615.tif 000012
【図５】
0003217615.tif 000013
【図６】
0003217615.tif 000014
【図７】
0003217615.tif 000015
【手続補正書】
【提出日】平成30年5月22日(2018.5.22)
【手続補正１】
【補正対象書類名】実用新案登録請求の範囲
【補正対象項目名】全文
【補正方法】変更
【補正の内容】
【実用新案登録請求の範囲】
【請求項１】
中空の矩形ばね（３）のステー差込口（６）の両端から、ばね支持ステー（７）の両端の曲げ加工部分（９）を差込固定して、ばね伸張台取付空間（８）を設けたばね組立体（１１）と、前記ばね伸張台取付空間（８）を広げて嵌め込み固定されるばね伸張台（２）と、前記ばね組立体（１１）が装着される固定溝（５）が形成された支持台（１）であって、ペンスタンド（４）を設けた前記支持台（１）と、を備えることを特徴とするカードホルダー。